(57)【要約】  顔に被せたフェイシャルシート２００の上から更に被せて使用するマスク型振動マッサージ装置１００は、マスク上の顔面とは反対側に向かって膨らんで振動付与体３００が設置される振動呈示部１３と、当該振動呈示部１３とは異なる部位において顔面に向かって膨らむ膨らみ部１２とを備え、振動呈示部１３がフェイシャルシート２００に接触せず、膨らみ部１２がフェイシャルシート２００に接触するようにして、その状態で振動付与体３００から振動呈示部１３に振動を与えることにより、振動呈示部１３からの振動が、そこから離れた膨らみ部１２からフェイシャルシート２００に伝わり、フェイシャルシート２００の全体が振動することにより、顔全体に振動が与えられるようにする。
2018139150.tif 000002
【特許請求の範囲】
【請求項１】
顔に被せたフェイシャルシートを振動させて、当該フェイシャルシートを介して顔に振動を与えるためのマスク型振動マッサージ装置であって、
マスク上で振動付与体が設置される部位であって、顔に被せた上記フェイシャルシートに接触しないように形成された振動呈示部と、
上記マスク上で上記振動呈示部とは異なる部位において顔面に向かって膨らむ膨らみ部とを備えたことを特徴とするマスク型振動マッサージ装置。
【請求項２】
上記振動呈示部は、上記マスク上で顔面とは反対側に向かって膨らんだ部位であることを特徴とする請求項１に記載のマスク型振動マッサージ装置。
【請求項３】
上記膨らみ部は、上記マスク上の鼻の部分の側方に設けられることを特徴とする請求項１または２に記載のマスク型振動マッサージ装置。
【請求項４】
上記振動呈示部は、上記マスク上の幅方向に中央部に設けられることを特徴とする請求項１〜３の何れか１項に記載のマスク型振動マッサージ装置。
【請求項５】
上記振動呈示部は、上記マスク上の顎の部分および額の部分の少なくとも一方に設けられることを特徴とする請求項４に記載のマスク型振動マッサージ装置。
【請求項６】
上記マスク上の上記鼻の部分に開口部を有することを特徴とする請求項１〜５の何れか１項に記載のマスク型振動マッサージ装置。
【請求項７】
上記振動呈示部は、上記マスク上の上記鼻の部分に設けられることを特徴とする請求項４に記載のマスク型振動マッサージ装置。
【請求項７】
上記膨らみ部は、上記マスク上の顎の部分に設けられることを特徴とする請求項１または２に記載のマスク型振動マッサージ装置。
【請求項９】
上記振動呈示部は、上記マスク上の額の部分または鼻の部分に設けられることを特徴とする請求項８に記載のマスク型振動マッサージ装置。
【請求項１０】
上記マスクは、顔の全体を覆う形状に構成されていることを特徴とする請求項１または２に記載のマスク型振動マッサージ装置。
【請求項１１】
上記マスクは、顔の一部を覆う形状に構成されていることを特徴とする請求項１または２に記載のマスク型振動マッサージ装置。
【請求項１２】
上記振動付与体は、上記マスクを振動板として用いて、当該マスクに振動を付与することを特徴とする請求項１〜１１の何れか１項に記載のマスク型振動マッサージ装置。
【請求項１３】
上記振動呈示部および上記振動付与体を２組備え、第１の振動付与体に対して音声信号を供給する一方、第２の振動付与体に対して、触覚に関する所定の感覚をユーザにイメージさせるように生成された振動信号である触覚コンテンツを供給することを特徴とする請求項１２に記載のマスク型振動マッサージ装置。
【請求項１４】
上記触覚コンテンツは、それぞれが触感の一要素を表したｎ個（ｎ≧２）の触質パラメータにより特定される固有の触覚効果を持った振動信号である触質コンテンツの２つ以上の組み合わせであって、パターンの繰り返しを構成している触質コンテンツの組み合わせであることを特徴とする請求項１３に記載のマスク型振動マッサージ装置。
【請求項１５】
上記触覚コンテンツは、上記第２の振動付与体に供給する音声信号と同じ音声信号から特定された上記ｎ個の触質パラメータにより特定される触質コンテンツの２つ以上の組み合わせであって、パターンの繰り返しを構成している触質コンテンツの組み合わせであることを特徴とする請求項１４に記載のマスク型振動マッサージ装置。
【請求項１６】
上記触覚コンテンツは、上記音声信号の波形情報において他の箇所と区別し得る複数の特徴箇所を区切りとして、隣接する特徴箇所の時間区間において経時的に値が変化する重み情報によって、上記パターンの繰り返しを構成している触質コンテンツ群の波形情報が加工されたものであることを特徴とする請求項１５に記載のマスク型振動マッサージ装置。
【請求項１７】
上記第１の振動付与体に対して上記音声信号を供給するとともに、上記第２の振動付与体に対して上記振動信号を供給する音響再生装置を更に備え、当該音響再生装置は、
上記音声信号を第１チャネル情報とし、上記触覚コンテンツを第２チャネル情報として含む音響コンテンツを取得する音響コンテンツ取得部と、
上記音響コンテンツ取得部により取得された上記音響コンテンツに上記第１チャネル情報として含まれる音声信号に基づいて音声を上記第１の振動付与体から出力するように、上記音声信号の再生を制御する音声出力制御部と、
上記音響コンテンツ取得部により取得された上記音響コンテンツに上記第２チャネル情報として含まれる上記触覚コンテンツに基づいて上記第２の振動付与体に振動を与えるように、上記触覚コンテンツの再生を制御する振動出力制御部とを備えたことを特徴とする請求項１３〜１６の何れか１項に記載のマスク型振動マッサージ装置。
【請求項１８】
上記振動呈示部および上記振動付与体を２組備え、第１の振動付与体に対して、触覚に関する所定の感覚をユーザにイメージさせるように生成された第１の振動信号である第１の触覚コンテンツを供給する一方、第２の振動付与体に対して、触覚に関する所定の感覚をユーザにイメージさせるように生成された第２の振動信号である第２の触覚コンテンツを供給することを特徴とする請求項１２に記載のマスク型振動マッサージ装置。
【発明の詳細な説明】
【技術分野】
【０００１】
本発明は、マスク型振動マッサージ装置に関し、特に、顔に被せて使用するマスクを振動させて、顔のマッサージを行うようになされた装置に用いて好適なものである。
【背景技術】
【０００２】
従来、顔に被せて使用するマスクを振動させて、顔のマッサージを行うようにした装置が知られている（例えば、特許文献１〜６参照）。【０００３】
特許文献１に記載のマスク型美顔装置では、マスクの目の部分、鼻の部分、口の部分を切り抜き、目の部分の上部、外側の側部および下部と、鼻の部分の外側の側部と、口の部分の両側部とに柔らかな振動子を貼り付ける。そして、これらの振動子にそれぞれ発振器を接続し、発振出力を各振動子に印加することにより、振動を与えるためのプローブ等を手で長時間持つ煩わしさを解消できるようにしている。【０００４】
特許文献２に記載の美顔マスクは、目、鼻および口の部分に開口部を持ち顔面を被覆するマスクであって、マスク地中に複数の振動素子を備えている。また、マスク地の接顔面に、顔面に向かって突出する襞を備えている。これにより、各使用者の顔の形状に適合し、ニーズに応じて顔面各部位のマッサージが可能であり、安全かつ軽量で、作動音も静かな美顔マスクを提供することができると記載されている。【０００５】
特許文献３に記載の顔面マッサージ器では、マスクに設けた複数の振動モジュールを個別動作させることによって、顔面の全部または局部をマッサージすることができるようにしている。また、振動モジュールの振動子をパルス幅変調方式の多様な振動パターンで操作することにより、撫で、擦り、掴み、押し、叩きなどのように人の手によって行われるマッサージ作用と類似した多様なマッサージ機能を提供できるようにしている。【０００６】
特許文献４に記載のフェイスマッサージ機は、人の顔に合わせて仮面状に成形した軟質素材の平板シートに超小型振動モータを数個使用して、仮面状のシート全体を振動さるようにしたものである。具体的には、仮面状平板シート上部と仮面状平板シート下部との間に金網をはさみ、その上に超小型振動モータを数個設置して、仮面状平板シート上部と仮面状平板シート下部とを接合している。【０００７】
特許文献５に記載の美顔器用マスクは、目、鼻、口の部分に穴が開けられた袋体にジェルを封入してなるジェルマスクを備える。袋体内には複数の堰が設けられており、この堰にはジェルの流動口が必要に応じて設けられている。このジェルマスクを電極マスクまたは超音波マスクと共に顔面に重ねて用いることにより、ジェルが重りになるとともに、その弾褥性により電極マスクや超音波マスクを顔に不動にフィットさせることができるようにしている。【０００８】
特許文献６に記載の美顔装置は、被美容処理者の顔面に密着する少なくとも１つの空気袋および各空気袋に連通する接続短管を有する覆面シートと、内側にこの覆面シートを装着でき、被美容処理者の顔面に固定装着するため締付ベルトを有する美顔器本体と、空気袋にパイプを経由して加圧空気を送るための外部制御装置と、美顔器本体に電気駆動を与える少なくとも１つの振動発生機構とを備え、美顔器本体を硬質の合成樹脂材料で形成している。【０００９】
【特許文献１】特開２００４−２６１４０９号公報
【特許文献２】特開２００５−１１８５２７号公報
【特許文献３】特表２０１４−５３０６４０号公報
【特許文献４】実登３０６１２４６号公報
【特許文献５】特開２００７−０３７６５７号公報
【特許文献６】実登３０３７５３９号公報
【発明の開示】
【００１０】
上記特許文献１〜４に記載の技術では、顔全体を振動させるために、マスクの複数箇所に多数の振動素子やモータ等を設置している。そのため、マスクの製造コストが増大してしまうという問題があった。
【００１１】
上記特許文献５に記載の技術では、顔全体を覆うジェルマスクを介して顔全体を振動させるため、マスクの複数箇所に振動素子やモータ等を設ける必要はない。ただし、その代りに、ジェルマスクに重ねて用いる電極マスクまたは超音波マスクが必要となるため、やはり製造コストが増大するという問題があった。
【００１２】
上記特許文献６に記載の技術では、顔全体を覆う覆面シートの空気袋を介して顔全体を振動させる仕組みで、この覆面シートを内側に装着した美顔器本体に電気駆動を与える振動発生機構が少なくとも１つがあればよいとされている。しかしながら、覆面シートには複数の空気袋が独立して存在するため、１つの振動発生機構だけでは、全ての空気袋を介して顔全体を振動させることができない。
【００１３】
また、上記特許文献１〜６に記載の技術では、顔に被せて使用するマスクを振動させることにより、顔全体のマッサージを行うように構成されているが、必ずしも心地よい振動マッサージを提供できるものではない。
【００１４】
本発明は、このような問題を解決するために成されたものであり、製造コストが増大しない簡易な構成で、顔に対して心地よい振動マッサージを行うことができるようにすることを目的とする。
【００１５】
上記した課題を解決するために、本発明のマスク型振動マッサージ装置では、顔に被せたフェイシャルシートを振動させて、当該フェイシャルシートを介して顔に振動を与えるようにする。このマスク型振動マッサージ装置は、振動付与体が設置される部位で、顔に被せたフェイシャルシートに接触しないように形成された振動呈示部と、当該振動呈示部とは異なる部位において顔面に向かって膨らんでいる膨らみ部とを備える。
【００１６】
上記のように構成した本発明によれば、顔に被せたフェイシャルシートの上からマスク型振動マッサージ装置を更に被せると、振動呈示部はフェイシャルシートに接触せず、そこから離れた場所にある膨らみ部がフェイシャルシートに対して接触するようになる。そして、振動付与体から振動呈示部に振動を与えると、その振動が膨らみ部からフェイシャルシートに伝わり、フェイシャルシートが振動することにより、顔に振動が与えられるようになる。
【００１７】
このように、本発明によれば、振動付与体は１箇所の振動呈示部に設置すればよく、顔面に向かって膨らむ膨らみ部と、フェイシャルシートに接触しないように形成された振動呈示部とを有する程度の製造コストが増大しない簡易な構成で、顔に対して振動を与えてマッサージを行うことができる。また、マスク型振動マッサージ装置から直接的ではなく、顔に被せたフェイシャルシートを介して振動が顔に伝えられるので、振動で触感の細かな差異を顔に感じさせること、顔に密着感を感じさせること、顔が包み込まれる感じを作ることが可能となる。これにより、ユーザに心地よい振動マッサージを提供することができる。
【図面の簡単な説明】
【００１８】
【図１】第１の実施形態によるマスク型振動マッサージ装置と、それと共に使用するフェイシャルシートの構成例を示す図である。
【図２】第１の実施形態によるマスク型振動マッサージ装置の一部構成例を示す側面図である。
【図３】第２の実施形態によるマスク型振動マッサージ装置の構成例を示す正面図である。
【図４】第２の実施形態によるマスク型振動マッサージ装置の構成例を示す側方斜視図である。
【図５】触覚コンテンツ生成装置の機能構成例を示すブロック図である。
【図６】触質コンテンツ記憶部が記憶する触質コンテンツの記憶例を模式的に示す図である。
【図７】触質パラメータ特定部による処理内容を説明するための図である。
【図８】触覚コンテンツ生成部による繰り返しパターンの判定アルゴリズムを説明するための図である。
【図９】音響コンテンツ生成装置の機能構成例を示す機能ブロック図である。
【図１０】振動波形加工部の機能構成例を示すブロック図である。
【図１１】特徴抽出部および重み情報生成部の処理内容を説明するための図である。
【図１２】音響コンテンツ生成部により生成される音響コンテンツを示す図である。
【図１３】第２の実施形態において用いる音響再生装置の機能構成例を示す機能ブロック図である。
【図１４】マスク型振動マッサージ装置およびフェイシャルシートの変形例を示す図である。
【発明を実施するための最良の形態】
【００１９】
（第１の実施形態）
以下、本発明の第１の実施形態を図面に基づいて説明する。図１は、第１の実施形態によるマスク型振動マッサージ装置１００と、それと共に使用するフェイシャルシート２００の構成例を示す図である。図２は、第１の実施形態によるマスク型振動マッサージ装置１００の一部構成例を示す側面図である。【００２０】
第１の実施形態によるマスク型振動マッサージ装置１００は、フェイシャルシート２００と共に使用する。フェイシャルシート２００は、例えばコットン、パルプ、レーヨン、ポリエステルなどの繊維素材から成るものであり、顔に直接被せて使用する。フェイシャルシート２００の目の部分、鼻の部分、口の部分には穴が開いている。このフェイシャルシート２００には、顔に被せて使用するときに、化粧液や美容液などを塗布することが可能である。【００２１】
第１の実施形態によるマスク型振動マッサージ装置１００は、顔に被せたフェイシャルシート２００の上から更に被せて使用するものであり、フェイシャルシート２００を振動させて、当該フェイシャルシート２００を介して顔全体に振動を与えるための装置である。すなわち、第１の実施形態によるマスク型振動マッサージ装置１００の特徴は、直接に肌を刺激するものではなく、フェイシャルシート２００を振動させることを介して間接的に肌を刺激することにある。【００２２】
第１の実施形態によるマスク型振動マッサージ装置１００は、マスク（後述する振動付与体３００を除いた顔面形状の面）上の鼻の部分に設けた開口部１１と、当該開口部１１の側方において顔面に向かって膨らむ部位である膨らみ部１２と、マスク上で膨らみ部１２とは異なる部位において、顔面とは反対側に向かって膨らんだ部位である振動呈示部１３とを有している。振動呈示部１３には、振動素子や振動モータ等の振動付与体３００が着脱可能に設置される。【００２３】
開口部１１は、どんなユーザでも鼻がマスクに触れることがないような大きさと形状に形成されている。第１の実施形態では、マスクは日本人の標準的な顔面形状に概ね沿うような曲面形状に構成されており、鼻の位置の開口部１１は、マスクの曲面形状の一部に設けられている。開口部１１のある位置は、その周囲の面と比べて、顔面方向にもその反対方向にも膨らんでおらず、単に面の一部に鼻の形状に沿って穴が開けられた構成となっている。【００２４】
膨らみ部１２は、開口部１１の両側において、当該開口部１１の面よりも顔面の方向に向かって膨らむ２つの部位である。膨らみ部１２は、顔面側に最も膨らんだ部分が、マスクを装着したユーザの両頬に当たるように構成されている。膨らみ部１２の膨らみ形状は任意であり、最も膨らんだ部分がユーザの両頬に当たるように構成されていればよい。【００２５】
振動呈示部１３は、マスク上で膨らみ部１２とは異なる部位において、周囲の面よりも顔面とは反対側に向かって膨らんだ部位である。振動呈示部１３を顔面とは反対側に向かって膨らませるのは、フェイシャルシート２００の上にマスクを装着した状態でフェイシャルシート２００の一部が振動呈示部１３に直接当たらないようにするためである。従って、振動呈示部１３の膨らみ形状や膨らみ程度は任意であり、振動呈示部１３がフェイシャルシート２００に直接当たらないように構成されていればよい。例えば、振動呈示部１３を局部的に膨らませる構成としてもよいし、周囲の面から徐々に膨らませる構成としてもよい。あるいは、人の口の大凡の形に合わせて膨らませる構成としてもよい。第１の実施形態では、振動呈示部１３を局部的に膨らませる構成としている。【００２６】
第１の実施形態では、振動呈示部１３と膨らみ部１２とをマスク上の離れた場所に設けている。振動呈示した部位が顔面（正確には、フェイシャルシート２００の表面）に直接フィットしてしまうと、その接触点に振動が吸収されてしまい、顏全体に振動が行き渡りにくくなる。そこで、振動呈示部１３を顔面とは反対側に向かって膨らませることにより、振動呈示部１３がフェイシャルシート２００にフィットしないようにしている。また、振動呈示部１３から離れた鼻横の位置に、顔面に向かって膨らむ膨らみ部１２を設け、当該膨らみ部１２の２点がフェイシャルシート２００の頬部分に当たるようにすることで、この２点から顔全体に振動が行き渡るようにしている。鼻横の位置は、どんな顔の形にも影響を受けにくく、膨らみ部１２をフェイシャルシート２００に確実にフィットさせることができる点で好ましい。【００２７】
振動呈示部１３により振動を呈示する位置（１点）は、マスク上の幅方向中央部が望ましい。第１の実施形態では、マスク上の顎の部分に振動呈示部１３を設けている。なお、前額部に振動呈示部１３を設けてもよい。また、振動呈示部１３により呈示された振動がフェイシャルシート２００に伝わる膨らみ部１２の位置は、目の位置以外とするのが望ましい。振動が眼球に直接伝わると、ユーザが不快に感じるからである。【００２８】
以上のように構成した第１の実施形態によるマスク型振動マッサージ装置１００を使用するときは、まず、ユーザは美容液などを塗布したフェイシャルシート２００を顔面上に貼付する。そして、その上からマスク型振動マッサージ装置１００を被せ、振動呈示部１３に設置した振動付与体３００により振動を与える。これにより、振動付与体３００において発生した振動が、マスク型振動マッサージ装置１００の膨らみ部１２を介してフェイシャルシート２００に伝わり、フェイシャルシート２００の全体が振動して、顔全体に振動が与えられる。【００２９】
なお、フェイシャルシート２００は、美容液を肌へと浸潤させるためのみならず、局所的な振動を緩衝し、かつ、振動を顔全体へと伝播させるための振動媒体として重要な役割を持つ。フェイシャルシート２００は、このような機能を発揮できるものであればよい。例えば、乾燥状態のティッシュペーパーなど、美容液等の液体が塗布されていないものでもよい。【００３０】
以上詳しく説明したように、第１の実施形態によれば、顔に被せたフェイシャルシート２００の上からマスク型振動マッサージ装置１００を更に被せると、顎部分の振動呈示部１３はフェイシャルシート２００に接触せず、そこから離れた場所にある膨らみ部１２がフェイシャルシート２００に対して接触するようになる。そして、振動付与体３００から振動呈示部１３に振動を与えると、その振動が膨らみ部１２からフェイシャルシート２００に伝わり、フェイシャルシート２００の全体が振動することにより、顔全体に振動が与えられるようになる。【００３１】
このように、第１の実施形態によるマスク型振動マッサージ装置１００によれば、振動付与体３００は１箇所の振動呈示部１３に設置すればよく、顔面に向かって膨らむ膨らみ部１２と、顔面とは反対側に向かって膨らむ振動呈示部１３とを有する程度の製造コストが増大しない簡易な構成で、顔全体に対して振動を与えてマッサージを行うことができる。また、マスクから直接的ではなく、顔に被せたフェイシャルシート２００を介して振動が顔全体に伝えられるので、振動で触感の細かな差異を顔全体に感じさせること、顔全体に密着感を感じさせること、顔全体が包み込まれる感じを作ることが可能となる。これにより、ユーザに心地よい振動マッサージを提供することができる。【００３２】
なお、上記第１の実施形態では、マスク上の鼻の部分に開口部１１を設ける構成について説明したが、本発明はこれに限定されない。例えば、大きな鼻でも入る立体構造としてよい。すなわち、鼻の部分を、顔面とは反対側に向かって膨ませた構造としてもよい。この場合、顔面とは反対側に向かって膨ませた鼻の部分に振動呈示部１３を設けるようにしてもよい。【００３３】
また、上記第１の実施形態では、鼻の部分にのみ開口部１１を設ける構成について説明したが、本発明はこれに限定されない。例えば、目の部分や口の部分にも開口部を設けるようにしてもよい。【００３４】
また、上記第１の実施形態では、膨らみ部１２を鼻の横部分に設けるとともに、振動呈示部１３を顎の部分に設ける例について説明したが、本発明はこれに限定されない。例えば、膨らみ部１２を顎の部分に設けるとともに、振動呈示部１３を顎以外の部分（例えば、額の部分または立体構造とした鼻の部分）に設けるようにしてもよい。【００３５】
顎部に膨らみ部１２を設けた場合は、マスクからフェイシャルシート２００を介して顔面に伝えられた振動が、下顎骨を介して頬骨から前額部へと伝達していくために、顔全体を刺激しやすい。これは、ボクシング競技において、下顎への打撃により頭頸部全体に大きな振動刺激が与えることからも示唆される。また、顎部は皮下脂肪が比較的少ない部位であるため、マスクから伝えられた振動が顎部において吸収されず、顔全体に伝わりやすい。【００３６】
また、顎部に膨らみ部１２を設けた場合において、マスクから膨らみ部１２に対して局所的に伝わる振動がフェイシャルシート２００により緩衝され、顔全体の振動との差異が気にならなくなるように、振動付与体３００の振動強度を調整できるようにしてもよい。このようにすれば、膨らみ部１２からの振動伝導で顔全体を心地よく振動マッサージすることが可能になる。【００３７】
（第２の実施形態）
次に、本発明の第２の実施形態を図面に基づいて説明する。図３は、第２の実施形態によるマスク型振動マッサージ装置１００’の構成例を示す正面図である。図４は、第２の実施形態によるマスク型振動マッサージ装置１００’の構成例を示す側方斜視図である。なお、第２の実施形態によるマスク型振動マッサージ装置１００’も第１の実施形態と同様、フェイシャルシート２００と共に使用する。フェイシャルシート２００は、第１の実施形態と同様の構成でよい。【００３８】
第２の実施形態によるマスク型振動マッサージ装置１００’は、マスク上の鼻の部分に設けた開口部１１’と、マスク上の両目の部分に設けた開口部１４と、顔面に向かって膨らむ部位である膨らみ部１２’と、マスク上で膨らみ部１２’とは異なる部位において、顔面とは反対側に向かって膨らんだ部位である振動呈示部１３Ａ，１３Ｂとを有している。振動呈示部１３Ａ，１３Ｂには、振動素子や振動モータ等の振動付与体３００Ａ，３００Ｂが設置される。【００３９】
第２の実施形態では、マスク上の鼻の部分を、顔面とは反対側に向かって膨ませた立体構造とし、当該立体構造の最も膨らんだ部分（鼻の頭に相当する部分）に開口部１１’を設けている。立体構造は、ユーザの鼻がマスクに触れることがないような大きさと形状に形成されている。そして、立体構造の鼻の根元に相当する部分の両側に、両目に相当する位置に２つの開口部１４が設けられている。【００４０】
膨らみ部１２’は、開口部１１’を有する立体構造の両側において、当該立体構造の根元の部分の面よりも顔面の方向に向かって膨らむ２つの部位である。第１の実施形態と同様、膨らみ部１２’は、顔面側に最も膨らんだ部分がユーザの両頬に当たるように構成されている。膨らみ部１２’の膨らみ形状は任意であり、最も膨らんだ部分がユーザの両頬に当たるように構成されていればよい。【００４１】
振動呈示部１３Ａ，１３Ｂは、マスク上で膨らみ部１２’とは異なる部位において、周囲の面よりも顔面とは反対側に向かって膨らんだ部位である。振動呈示部１３Ａ，１３Ｂの膨らみ形状や膨らみ程度は任意であり、振動呈示部１３Ａ，１３Ｂがフェイシャルシート２００に直接当たらないように構成されていればよい。第２の実施形態では、振動呈示部１３Ａ，１３Ｂを何れも周囲の面から徐々に、僅かに膨らませる構成としている。【００４２】
第２の実施形態では、２つの振動呈示部１３Ａ，１３Ｂを形成し、それぞれに振動付与体３００Ａ，３００Ｂを設置している。第１の振動呈示部１３Ａは顎の位置に、第２の振動呈示部１３Ｂは額の位置に設置している。振動付与体３００Ａ，３００Ｂは、例えば、一般的なスピーカの磁気回路やボイスコイルを備えたものとすることが可能である。振動付与体３００Ａ，３００Ｂは、スピーカのコーン（振動板）は備えていない。本実施形態では、振動付与体３００Ａ，３００Ｂによって振動させるマスク面をスピーカの振動板として機能させるようにしている。すなわち、振動付与体３００Ａ，３００Ｂは、マスクを振動板として用いて、当該マスクに振動を付与する。これにより、振動付与体３００Ａ，３００Ｂおよびマスクにより、当該マスクを振動板とするスピーカが構成される。【００４３】
例えば、振動付与体３００Ａ，３００Ｂに対して振動を与える振動源のデータとして音楽データを用い、音声再生装置（図示せず）で再生した音声信号を振動付与体３００Ａ，３００Ｂに供給するようにする。このようにすると、音声信号に応じた振動を振動付与体３００Ａ，３００Ｂからマスクに与え、マスク全体を振動させることにより、マスクをスピーカのコーン代わりとして放音することができる。これにより、マスクを装着しているユーザは、マスク全体から音楽が聞こえてくるような体感を得ることができる。このようなことは、１つの振動付与体３００のみを備えた第１の実施形態にも同様に適用することが可能である。【００４４】
また、第２の実施形態では、マスク全体から響いてくる音楽をユーザが聴きやすいように、マスクの両耳の部分に、外側に向かって側方に広がる広がり部１５を設けている。このような広がり部１５を設けることにより、マスク全体が振動することによってマスク全体から響いてくる音楽を、広がり部１５を通してユーザが聴きやすくなるようにすることができる。【００４５】
以上詳しく説明したように、第２の実施形態によれば、振動付与体３００Ａ，３００Ｂは２箇所の振動呈示部１３Ａ，１３Ｂに設置すればよく、顔面に向かって膨らむ膨らみ部１２’と、顔面とは反対側に向かって膨らむ振動呈示部１３Ａ，１３Ｂとを有する程度の製造コストが増大しない簡易な構成で、顔全体に対して振動を与えてマッサージを行うことができる。また、第１の実施形態と同様、振動で触感の細かな差異を顔全体に感じさせること、顔全体に密着感を感じさせること、顔全体が包み込まれる感じを作ることを通じて、ユーザに心地よい振動マッサージを提供することができる。【００４６】
さらに、第２の実施形態によれば、振動源として音楽データを用いることにより、マスク全体から音楽が聴こえてくるような感覚をユーザに与えながら、顔全体に対して振動を与えてマッサージを行うことができる。振動源としての音楽データを適宜変えることにより、様々なリズムのバリエーションを持った振動マッサージをユーザに提供することができ、マッサージを受けるユーザを飽きさせることなく、心地よい振動マッサージを提供することが可能である。【００４７】
また、第２の実施形態では、２つの振動付与体３００Ａ，３００Ｂを設けているので、それぞれから異なる振動をマスクに付与することも可能である。例えば、第１の振動付与体３００Ａには音楽データを用いて音声再生装置で再生した音声信号を供給し、第２の振動付与体３００Ｂには所定の感覚をユーザにイメージさせるように生成された振動信号を供給するようにすることが可能である。所定の感覚とは、音を聞いたときに感じる聴感（緩やか、激しい、リズミカルなど）であってもよいし、物に触れたときに感じる触感（柔らかい、硬いなど）であってもよい。このようにすれば、第２の振動付与体３００Ｂに供給する振動信号によってユーザに所定の感覚を与えつつ、第１の振動付与体３００Ａに供給する音声信号によってマスク全体から音楽が聞こえてくるような体感をユーザに与えることができる。【００４８】
以下に、第１の振動付与体３００Ａに供給する音声信号および第２の振動付与体３００Ｂに供給する振動信号の生成について説明する。ここで生成する振動信号は、触覚に関する所定の感覚をユーザにイメージさせる振動信号である。本明細書では、このような振動信号のことを「触覚コンテンツ」と呼ぶ。また、当該振動信号と音声信号とを合わせて「音響コンテンツ」と呼ぶ。【００４９】
図５は、本実施形態による触覚コンテンツ生成装置５００の基本構成例を示す機能ブロック図である。図５に示すように、本実施形態の触覚コンテンツ生成装置５００は、記憶媒体として触質コンテンツ記憶部５０を備えている。また、本実施形態の触覚コンテンツ生成装置５００は、その機能構成として、触質コンテンツ抽出部５１、触覚コンテンツ生成部５２、対象情報入力部５３および触質パラメータ特定部５４を備えている。【００５０】
上記各機能ブロック５１〜５４は、ハードウェア、ＤＳＰ（Digital Signal Processor）、ソフトウェアの何れによっても構成することが可能である。例えばソフトウェアによって構成する場合、上記各機能ブロック１１，１２は、実際にはコンピュータのＣＰＵ、ＲＡＭ、ＲＯＭなどを備えて構成され、ＲＡＭやＲＯＭ、ハードディスクまたは半導体メモリ等の記録媒体に記憶されたプログラムが動作することによって実現される。【００５１】
触質コンテンツ記憶部５０は、それぞれが触感の一要素を表したｎ個（ｎ≧２）の触質パラメータにより特定される固有の触覚効果を持った触質コンテンツを、ｎ個の触質パラメータの組み合わせに対応付けて記憶する。本実施形態では、ｎ＝２の例を示す。また、２個の触質パラメータとして、情報の強度に関する第１の触質パラメータと、情報の分割区間の長さに関する第２の触質パラメータとを用いる例を示す。強度および分割区間の長さは、何れも触感の一要素を成すものである。【００５２】
すなわち、本実施形態において、触質コンテンツ記憶部５０は、情報の強度に関する第１の触質パラメータおよび情報の分割区間の長さに関する第２の触質パラメータにより特定される固有の触覚効果を持った触質コンテンツを、第１の触質パラメータおよび第２の触質パラメータの組み合わせに対応付けて記憶する。触質パラメータとは、例えば＜硬い−柔らかい＞、＜粗い−滑らか＞のように対立する触質（以下、触質対という）の程度を表すパラメータである。【００５３】
例えば、＜硬い−柔らかい＞という触質対に関する触質パラメータとして、情報の強度を用いることが可能である。すなわち、強度を表す値が大きいほど硬いことを表し、強度を表す値が小さいほど柔らかいことを表す。また、＜粗い−滑らか＞という触質対に関する触質パラメータとして、情報の分割区間の長さを用いることが可能である。すなわち、長さを表す値が大きいほど滑らかであることを表し、長さを表す値が小さいほど粗いことを表す。【００５４】
図６は、触質コンテンツ記憶部５０が記憶する触質コンテンツの記憶例を模式的に示す図である。図６は、縦軸に第１の触質パラメータとしての「強度」をとり、横軸に第２の触質パラメータとしての「分割区間の長さ」をとって表したマトリクス状の触質対空間を示している。図６の例では、第１の触質パラメータ（強度）で表される触質対として＜硬い−柔らかい＞を用い、第２の触質パラメータ（分割区間の長さ）で表される触質対として＜粗い−滑らか＞を用いたものを示している。【００５５】
図６の例では、強度の最大値から最小値までを５段階に分けるとともに、分割区間の長さの最大値から最小値までを５段階に分けることにより、２５個のマトリクス空間を形成している。２５個のマトリクス空間には、それぞれ１番〜２５番のインデックス番号が付与されている。触質コンテンツ記憶部５０は、これら２５個のマトリクス空間内にそれぞれ、強度および分割区間の長さの組み合わせに応じた触質コンテンツを記憶する。【００５６】
ここで記憶する触質コンテンツは、人が触感を得ることが可能な情報である。本実施形態では、触質コンテンツとして、振動情報を用いる。触質コンテンツとして振動情報を記憶する場合、例えばインデックス番号“１”の位置には、強度が最大で分割区間の長さが最小の振動情報、つまり、最も硬くて最も粗いというイメージを伝達可能な振動情報が記憶される。また、例えばインデックス番号“２５”の位置には、強度が最小で分割区間の長さが最大の振動情報、つまり、最も柔らかくても最も滑らかというイメージを伝達可能な振動情報が記憶される。【００５７】
なお、触質コンテンツを特定するための２組の触質対として何を用いるかは、本実施形態の触覚コンテンツ生成装置５００において生成する触覚コンテンツの用途に応じて任意に定めることが可能である。すなわち、ここでは２組の触質対として＜硬い−柔らかい＞および＜粗い−滑らか＞を用いているが、これに限定されない。例えば、触質対の別の例として、＜大きい−小さい＞、＜鋭い−鈍い＞、＜重い−軽い＞、＜ざらざら−つるつる＞などを用いてもよい。【００５８】
なお、図５では、触覚コンテンツ生成装置５００が触質コンテンツ記憶部５０を備える構成を示したが、触質コンテンツ記憶部５０は触覚コンテンツ生成装置５００の外部に備え、触覚コンテンツ生成装置５００が外部の触質コンテンツ記憶部５０から触質コンテンツを取得して利用できる構成としてもよい。【００５９】
例えば、触覚コンテンツ生成装置５００の外部にある触質コンテンツ記憶部５０は、触覚コンテンツ生成装置５００に着脱可能なリムーバル記憶媒体により構成される。または、触覚コンテンツ生成装置５００の外部にある触質コンテンツ記憶部５０は、触覚コンテンツ生成装置５００に通信ネットワークを介して接続された外部機器（例えば、外部ストレージ、サーバなど）により構成される。【００６０】
対象情報入力部５３は、強度に相当する値が連続的または断続的に連なって成る対象情報を入力する。当該対象情報の一例として、本実施形態では時系列の波形情報を入力する。ここで入力する波形情報は、アナログ信号でもよいし、デジタルデータでもよい。また、入力する波形情報は、時間の経過と共に振幅が変化する情報であればよく、その種類は任意である。【００６１】
例えば、音声信号、映像信号、地震計・風力計・光量計など各種計測機器の測定信号、オシロスコープによる波形測定データ、株価変動データなどが挙げられるが、これらは一例に過ぎない。音声信号を入力する場合、それは音響コンテンツを構成する音声信号（第１の振動付与体３００Ａに供給する音声信号）と同一の音声信号であってもよいし、他の音声信号であってもよい。ただし、音響コンテンツを構成する音声信号と同一の音声信号を対象情報として入力するのが好ましい。その理由は後述する。【００６２】
触質パラメータ特定部５４は、対象情報入力部５３により入力された波形情報を時間軸方向に複数に分割し、それぞれの分割区間から、第１の触質パラメータとして振幅を特定するとともに、第２の触質パラメータとして分割区間の時間の長さを特定する。このとき、前処理として、波形情報にローパスフィル処理を施すことにより、入力された波形情報のエンベロープを抽出し、当該エンベロープを対象として、複数の分割区間から第１の触質パラメータ（振幅）および第２の触質パラメータ（分割区間の時間の長さ）を特定するようにしてもよい。【００６３】
図７は、触質パラメータ特定部５４による処理内容の一例を説明するための図である。図７は、対象情報入力部５３により入力された波形情報（または、触質パラメータ特定部５４により前処理としてローパスフィルタ処理が施されたエンベロープ波形情報）を示している。【００６４】
触質パラメータ特定部５４は、まず、図７に示す波形情報を時間軸方向に複数に分割する。図７では一例として、波形の振幅が極小となる時間毎に分割している。すなわち、波形の開始点から１つ目の極小値までを第１の分割区間Ｔ１、１つ目の極小値から２つ目の極小値までを第２の分割区間Ｔ２、２つ目の極小値から３つ目の極小値までを第３の分割区間Ｔ３、・・・のように、波形情報を時間軸方向に複数に分割している。【００６５】
なお、波形情報の分割のし方は、図７に示した例に限定されない。例えば、波形の振幅が極大となる時間毎に波形情報を複数の区間に分割するようにしてもよい。あるいは、正の値の振幅および負の値の振幅がある波形情報の場合は、振幅値がゼロとなる時間毎に波形情報を複数の区間に分割するようにしてもよい。【００６６】
触質パラメータ特定部５４は、それぞれの分割区間Ｔ１，Ｔ２，Ｔ３，・・・から、第１の触質パラメータとして代表振幅ｈ１，ｈ２，ｈ３，・・・を特定するとともに、第２の触質パラメータとして分割区間の時間の長さｔ１，ｔ２，ｔ３，・・・を特定する。ここで、代表振幅ｈ１，ｈ２，ｈ３，・・・は、それぞれの分割区間Ｔ１，Ｔ２，Ｔ３，・・・における開始点の極小値または終了点の極小値のうち値が大きい方と、分割区間Ｔ１，Ｔ２，Ｔ３，・・・における極大値との差分の値を示している。【００６７】
すなわち、分割区間Ｔ１に関しては、極小値が１つしかないので、この極小値と極大値との差分が代表振幅ｈ１となる。分割区間Ｔ２に関しては、当該区間の開始点の極小値の方が終了点の極小値よりも大きいので、開始点の極小値と極大値との差分が代表振幅ｈ２となる。分割区間Ｔ３に関しては、当該区間の開始点の極小値よりも終了点の極小値の方が大きいので、終了点の極小値と極大値との差分が代表振幅ｈ３となる。【００６８】
なお、ここで示した代表振幅の特定方法は一例であり、これに限定されるものではない。例えば、それぞれの分割区間Ｔ１，Ｔ２，Ｔ３，・・・における開始点の極小値または終了点の極小値のうち値が小さい方と、分割区間Ｔ１，Ｔ２，Ｔ３，・・・における極大値との差分を代表振幅として特定するようにしてもよい。【００６９】
また、正の値の振幅および負の値の振幅がある波形情報を、振幅値がゼロとなる時間毎に分割した場合は、各分割区間における正の極大値または負の極小値を第１の触質パラメータの代表振幅として特定するようにしてもよい。ここで、負の極小値に関しては、その絶対値を第１の触質パラメータの代表振幅として特定するようにしてもよい。【００７０】
触質コンテンツ抽出部５１は、触質パラメータ特定部５４によりそれぞれの分割区間から特定された第１の触質パラメータ（振幅）および第２の触質パラメータ（分割区間の時間の長さ）の組み合わせを順に指定して、当該指定した複数組の組み合わせに対応する複数の触質コンテンツを触質コンテンツ記憶部５０から順に抽出する。【００７１】
すなわち、触質コンテンツ抽出部５１は、各分割区間Ｔ１，Ｔ２，Ｔ３，・・・から特定された代表振幅および分割区間の長さの組み合わせ｛ｈ１，ｔ１｝，｛ｈ２，ｔ２｝，｛ｈ３，ｔ３｝，・・・を指定する。そして、図６に示した触質コンテンツのマトリクス空間上において、上記指定したそれぞれの組み合わせに対応する触質コンテンツを順に抽出する。【００７２】
触覚コンテンツ生成部５２は、触質コンテンツ抽出部５１により順に抽出された複数の触質コンテンツが、２つ以上の異なる触質コンテンツの組み合わせから成るパターンの繰り返しを有するか否かを判定し、繰り返しを構成している触質コンテンツ群を抽出し、これを触覚コンテンツとして生成する。繰り返しを構成している触質コンテンツ群は、受け手に対して意味のあるメッセージを伝えることが可能な情報であり、本実施形態ではこれを触覚コンテンツとして生成するようにしている。その理由を以下に説明する。【００７３】
触覚によって何らかのメッセージを人に伝える場合、第１に、触感に差異を作ることが大事である。例えば、人は、ずっと同じ圧力を受け続けると圧力を感じなくなるが、圧力に差異を作ると、より強く圧力を感じるようになる。そして、その差異の連なりから、ある種のメッセージを表現することが可能となる。例えば、図６に示したマトリクス空間において、インデックス番号が２０番の触質コンテンツと２５番の触質コンテンツとを順に抽出すると、比較的弱い強度で長い時間をかけてゆったりと強度が変化するという差異が生じ、この差異によって「柔らかくて滑らか」な感じというメッセージを表現することが可能となる。【００７４】
第２に、上記のような触感の差異を２回以上繰り返すことにより、それが何か特別なもの（偶然ではないもの）という印象を人に与えることができる。すなわち、２０番の触質コンテンツと２５番の触質コンテンツとを順に１回ずつ抽出するだけなく、２０番→２５番→２０番→２５番のように２回以上繰り返すことにより、差異によって生じるメッセージをより強く伝えることが可能となる。なお、ここでは２つの触質コンテンツが繰り返される例を示したが、３つ以上の触質コンテンツが繰り返されるものも触覚コンテンツとなる。【００７５】
なお、触覚コンテンツ生成部５２により生成された触覚コンテンツは、例えば、触覚コンテンツ生成装置５００が備える記憶媒体、あるいは触覚コンテンツ生成装置５００に着脱可能なリムーバル記憶媒体に保存される。または、触覚コンテンツ生成装置５００に通信ネットワークを介して接続された外部機器（例えば、外部ストレージ、サーバなど）に触覚コンテンツを送信して保存するようにしてもよい。本実施形態では、このように保存した触覚コンテンツを、音響コンテンツの一要素として利用する。【００７６】
以下に、触覚コンテンツ生成部５２による繰り返しパターンの判定アルゴリズムの一例を説明する。図８は、触覚コンテンツ生成部５２による繰り返しパターンの判定アルゴリズムを説明するための図である。図８（ａ）は、触質コンテンツ抽出部５１により順に抽出された１０個の触質コンテンツのインデックス番号の順列を示している。【００７７】
触覚コンテンツ生成部５２は、まず、触質コンテンツ抽出部５１により抽出された先頭のインデックス番号をｋｅｙとして、当該ｋｅｙと同じインデックス番号が出現する直前までをパターンとして抽出する。ここで、パターンとは、２つ以上の異なるインデックス番号（それにより示される触質コンテンツ）の組み合わせをいうものとする。【００７８】
例えば、ｋｅｙと同じインデックス番号が連続する場合（例えば、“１１”のようなケース）、「２つ以上の異なる」という制限を設けることなく、ｋｅｙと同じインデックス番号が出現する直前までをパターンとして抽出すると、最初の１つ目のインデックス番号“１”だけがパターンとして抽出されることになる。本実施形態では、このような１つのインデックス番号のみから成るものをパターンとしては抽出しない。これをパターンとして抽出すると、“１１”は“１”が２回繰り替えされている触覚コンテンツとなってしまうが、これだと触質コンテンツの連なりに差異がないので、触覚コンテンツとしては不適だからである。【００７９】
触覚コンテンツ生成部５２は、１つのパターンを抽出したら、次に、当該抽出したパターンの次のインデックス番号をｋｅｙとして、当該ｋｅｙと同じインデックス番号が出現する直前までをパターンとして新たに抽出する。触覚コンテンツ生成部５２は、以上の処理を、触質コンテンツ抽出部５１により順に抽出されたインデックス番号の最後まで行う。【００８０】
なお、先頭のインデックス番号をｋｅｙとして、最後のインデックス番号まで探索を行っても、そのｋｅｙと同じインデックス番号が見つからない場合は、先頭から２番目のインデックス番号をｋｅｙに設定し直して、当該ｋｅｙと同じインデックス番号が出現する直前までをパターンとして抽出する。この処理は、パターンが見つかるまで、ｋｅｙを変えながら繰り返し行う。図８（ｂ）は、このようなパターン抽出処理を行った結果を示している。【００８１】
図８の例では、まず、先頭のインデックス番号“１”をｋｅｙとして、当該ｋｅｙと同じインデックス番号が出現する直前までをパターンとして抽出している。これにより、“１２３”が１つ目のパターンとして抽出されている。次に、抽出した１つ目のパターンの次のインデックス番号（４番目のインデックス番号）“１”をｋｅｙとして、当該ｋｅｙと同じインデックス番号が出現する直前までをパターンとして抽出している。これにより、“１２３”が２つ目のパターンとして抽出されている。【００８２】
次に、抽出した２つ目のパターンの次のインデックス番号（７番目のインデックス番号）“１”をｋｅｙとして、当該ｋｅｙと同じインデックス番号が出現する直前までをパターンとして抽出している。これにより、“１４”が３つ目のパターンとして抽出されている。さらに、抽出した３つ目のパターンの次のインデックス番号（９番目のインデックス番号）“１”をｋｅｙとして、当該ｋｅｙと同じインデックス番号が出現する直前までをパターンとして抽出しようとしたが、同じインデックス番号はみつからず、残りの “１３”が４つ目のパターンとして抽出されている。【００８３】
図８の例では、“１２３”のパターンが２回繰り返されている。よって、触覚コンテンツ生成部５２は、この繰り返しを構成している触質コンテンツ群“１２３１２３”を抽出し、これを触覚コンテンツとして生成する。【００８４】
なお、図８の例では、図８（ｃ）に示すように、２番目のインデックス番号“２”をｋｅｙとして設定すると、“２３１”というパターンの繰り返しを抽出することができる。そこで、触覚コンテンツ生成部５２は、ｋｅｙの設定位置を先頭から順に変えながらパターン抽出処理を行うことにより、繰り返しを構成している複数の触質コンテンツ群“１２３１２３”、“２３１２３１”を抽出し、これらを触覚コンテンツとして生成するようにしてもよい。また、インデックス番号の全てを順次ｋｅｙに設定して、繰り返しパターンの判定処理を行うようにしてもよい。【００８５】
なお、ここでは、触質コンテンツ抽出部５１により抽出された触質コンテンツが１０個の場合における繰り返しパターンの判定例を説明したが、触質コンテンツが多数の場合もある。そこで、触覚コンテンツ生成部５２は、触質コンテンツ抽出部５１により順に抽出された複数の触質コンテンツを先頭から所定数毎に区切ってグループ化し、グループ毎に繰り返しパターンの判定処理を行うようにしてもよい。【００８６】
以上のようにして生成した触覚コンテンツを、音響コンテンツの一要素として、マスク型振動マッサージ装置１００’を通じてユーザに伝達することにより、繰り返される複数の触質コンテンツの差異の連なりにより、意味を持った触覚効果を与え、触覚のメッセージ性（物語性）をユーザに明確に伝えることができる。【００８７】
なお、上記実施形態では、触質コンテンツ記憶部５０より抽出した複数の触質コンテンツの中から、１種類の繰り返しパターンから成る触質コンテンツ群を抽出し、抽出した触質コンテンツ群をそのまま触覚コンテンツとする例について説明したが、本発明はこれに限定されない。例えば、複数種類の繰り返しパターンから成る触質コンテンツ群を抽出し、これらを組み合わせることによって触覚コンテンツを生成するようにしてもよい。【００８８】
また、上記実施形態では、１つのインデックス番号をＫｅｙに設定して、そのＫｅｙと同じインデックス番号が出現する直前までをパターンとして抽出する例について説明したが、本発明はこれに限定されない。例えば、複数のインデックス番号の組み合わせをＫｅｙに設定して、そのＫｅｙと同じインデックス番号の組み合わせが出現する直前までをパターンとして抽出するようにしてもよい。【００８９】
また、上記実施形態では、例えば図８（ｂ）のように“１２３｜１２３”とパターンの繰り返しが検出された場合に、その繰り返しを構成している触質コンテンツ群“１２３１２３”を触覚コンテンツとして生成する例について説明したが、本発明はこれに限定されない。例えば、“１２３”を任意の数だけ組み合わせたものを触覚コンテンツとして生成するようにしてもよい。【００９０】
また、“１２３”の順序をサイクリックに置き換えたもの（“２３１”または“３１２”）を生成し、これを組み合わせたものを触覚コンテンツとして生成するようにしてもよい。ここで、“２３１２３１”や “３１２３１２”のように、同一のパターンを組み合わせて触覚コンテンツを生成してもよいし、“１２３２３１３１２”のように、異なるパターンを任意に組み合わせて触覚コンテンツを生成するようにしてもよい。【００９１】
また、上記実施形態では、対象情報入力部５３により入力する対象情報として、強度に相当する値が連続的または断続的に連なっている形態の波形情報を扱う例について説明したが、元々がそのような形態になっていない情報を当該形態に変換した情報を入力するようにしてもよい。【００９２】
例えば、音声信号の場合、ある程度の時間的な長さを持ったものであれば、強度に相当する値が連続的または断続的に連なっているものといえる。一方、一瞬で終わる音の場合、振幅は存在するが、時間軸に沿って複数に分割可能な長さを持たない。しかし、その瞬時音を周波数解析して周波数軸の信号に変換すると、周波数毎に異なる振幅を持った情報、つまり、強度に相当する振幅が周波数軸に沿って連なった情報となるため、対象情報入力部５３において入力可能な情報となる。その他、周波数スペクトル情報、ヒストグラム情報、画像情報、動画情報、テキスト情報、物体の動きを表す動作情報なども、対象情報入力部５３より対象情報として入力し得る。【００９３】
また、上記実施形態では、図６に示すように、横軸に分割区分の長さをとる例について説明したが、当該長さの逆数を取るようにしてもよい。【００９４】
また、上記実施形態では、ｎ＝２とし、２個の触質パラメータとして、情報の強度に関する第１の触質パラメータと、情報の分割区間の長さに関する第２の触質パラメータとを特定する例について説明したが、ｎは３以上であってもよい。なお、ｎ≧３とする場合、図６のような２次元状のマトリクス空間ではなく、３階層以上のｎ次元階層空間として、ｎ個の触質パラメータの組み合わせに対応する触質コンテンツをそれぞれ記憶することになる。【００９５】
また、上記実施形態では、情報の強度に関する第１の触質パラメータと、情報の分割区間の長さに関する第２の触質パラメータとの両方を特定する例について説明したが、何れか一方のみとしてもよい。【００９６】
すなわち、触質パラメータ特定部５４は、対象情報入力部５３により入力された対象情報を複数に分割し、それぞれの分割区間から、情報の強度に関する第１の触質パラメータおよび分割区間の長さに関する第２の触質パラメータの少なくとも一方を用いて、ｎ個（ｎ≧２）の触質パラメータを特定することが可能である。【００９７】
例えば、ｎ＝３とする場合、第１の触質パラメータを１個または２個特定するとともに、第２の触質パラメータを２個または１個特定するといったことが可能である。あるいは、第１の触質パラメータとして異なるものを３個特定するようにしてもよいし、第２の触質パラメータとして異なるものを３個特定するようにしてもよい。【００９８】
情報の強度に関する第１の触質パラメータだけでｎ個の触質パラメータを特定する場合、例えば、対象情報入力部５３によりｎ種の対象情報を入力するようにする。そして、触質パラメータ特定部５４は、入力されたｎ種の対象情報をそれぞれ複数に分割し、ｎ種の対象情報のそれぞれの分割区間から、第１の触質パラメータを１個ずつ特定することにより、ｎ個の第１の触質パラメータの組み合わせを複数組特定する。【００９９】
一例として、対象情報入力部５３が、触質変換対象の情報として、心拍、加速度（身体の動き）、血流量の３種の情報に関して以下のようなデジタル値を入力したとする。
心拍  ：７９，６０，７９，７５，７４，７９，７５
加速度：４０，１０，３０，４０，３５，４０，２０
血流量：８０，６０，４０，６０，８０，６０，８０【０１００】
この場合、触質パラメータ特定部５４は、入力された３種の対象情報をそれぞれ入力値ごとに分割し、３種の対象情報のそれぞれの分割区間から、第１の触質パラメータを特定することにより、３個の第１の触質パラメータの組み合わせを以下のように特定する。
｛７９，４０，８０｝，｛６０，１０，６０｝，｛７９，３０，４０｝，・・・【０１０１】
また、情報の分割区間の長さに関する第２の触質パラメータだけでｎ個の触質パラメータを特定する場合も、例えば、対象情報入力部５３によりｎ種の対象情報を入力するようにする。そして、触質パラメータ特定部５４は、入力されたｎ種の対象情報をそれぞれ複数に分割し、ｎ種の対象情報のそれぞれの分割区間から、第２の触質パラメータを１個ずつ特定することにより、ｎ個の第２の触質パラメータの組み合わせを複数組生成する。【０１０２】
一例として、対象情報入力部５３が、心拍、加速度、血流量の３種の情報に関して、上記と同様のデジタル値を入力したとする。この場合、触質パラメータ特定部５４は、例えば、同じ値が入力されるまでを単位として３種の対象情報をそれぞれ分割し、３種の対象情報のそれぞれの分割区間から、第２の触質パラメータを特定することにより、３個の第２の触質パラメータの組み合わせを複数組特定する。【０１０３】
上記の例の場合、心拍に関して、最初の“７９”と同じ値が次に現れるのは２つ後、その次に同じ値が現れるのは更に３つ後なので、分割区間の長さは２，３となる。加速度に関して、最初の“４０” と同じ値が次に現れるのは３つ後、その次に同じ値が現れるのは更に２つ後なので、分割区間の長さは３，２となる。血流量に関して、最初の“８０”と同じ値が次に現れるのは４つ後、その次に同じ値が現れるのは更に２つ後なので、分割区間の長さは４，２となる。この場合、触質パラメータ特定部５４は、第２の触質パラメータの組み合わせを｛２，３，４｝，｛３，２，２｝のように特定する。【０１０４】
なお、ここでは、複数種類の触質変換対象の情報としてデジタル値を入力する例について説明したが、アナログ信号を入力するようにしてもよいことは言うまでもない。この場合、強度に関する触質パラメータおよび分割区間の長さに関する触質パラメータの特定法は、上記実施形態で説明した方法を適用することが可能である。【０１０５】
また、ここでは、強度に関する触質パラメータ、あるいは分割区間の長さに関する触質パラメータの何れか一方のみを、複数種類の触質変換対象の入力情報から特定する例について説明したが、１種類の対象情報から特定するようにしてもよい。例えば、上記実施形態と同様にして１種類の対象情報を複数の区間に分割し、それぞれの分割区間から、強度に関する触質パラメータを複数特定するようにしてもよい（例えば、強度の最大値と最小値をそれぞれ触質パラメータとするなど）。また、１種類の対象情報を複数の区間に分割する際に、異なる方法に従って複数の区間に分割し、それぞれの方法で分割した分割区間の長さを触質パラメータとするようにしてもよい。【０１０６】
また、ここでは、複数種類の触質変換対象の入力情報から、強度に関する触質パラメータだけ、あるいは分割区間の長さに関する触質パラメータだけを特定する例について説明したが、本発明はこれに限定されない。例えば、複数種類の触質変換対象の入力情報から、強度に関する触質パラメータおよび分割区間の長さに関する触質パラメータの両方を組み合わせて特定するようにしてもよい。【０１０７】
次に、音響コンテンツ生成装置について説明する。図９は、本実施形態による音響コンテンツ生成装置６００の機能構成例を示す機能ブロック図である。図９に示すように、本実施形態の音響コンテンツ生成装置６００は、その機能構成として、触覚コンテンツ取得部６１、音声信号取得部６２、振動波形加工部６３および音響コンテンツ生成部６４を備えている。また、本実施形態の音響コンテンツ生成装置６００には、触覚コンテンツ記憶部６０１および音声信号記憶部６０２が接続されている。【０１０８】
上記各機能ブロック６１〜６４は、ハードウェア、ＤＳＰ、ソフトウェアの何れによっても構成することが可能である。例えばソフトウェアによって構成する場合、上記各機能ブロック６１〜６４は、実際にはコンピュータのＣＰＵ、ＲＡＭ、ＲＯＭなどを備えて構成され、ＲＡＭやＲＯＭ、ハードディスクまたは半導体メモリ等の記録媒体に記憶されたプログラムが動作することによって実現される。【０１０９】
触覚コンテンツ記憶部６０１は、図５のように構成した触覚コンテンツ生成装置５００により生成された触覚コンテンツを記憶する。本実施形態では、触覚コンテンツ記憶部６０１は、図５の触質コンテンツ記憶部５０に記憶する触質コンテンツとして振動情報を用いた場合に、触覚コンテンツ生成装置５００により振動情報として生成される触覚コンテンツを記憶する。触覚コンテンツ記憶部６０１が記憶する触覚コンテンツは、２つ以上の異なる触質コンテンツ（振動情報）の組み合わせから成るパターンの繰り返しを有する触質コンテンツ群から成る時系列の波形情報である。【０１１０】
なお、触覚コンテンツ記憶部６０１は、図５に示した触覚コンテンツ生成装置５００が内部に備える記憶媒体であってもよいし、触覚コンテンツ生成装置５００の外部にあるパーソナルコンピュータやスマートフォン、タブレット端末などの情報処理機器、あるいはリムーバル記憶媒体であってもよい。また、触覚コンテンツ記憶部６０１は、音響コンテンツ生成装置６００に通信ネットワークを介して接続された外部機器（例えば、外部ストレージ、サーバなど）であってもよい。【０１１１】
音声信号記憶部６０２は、任意の音声信号の波形情報を記憶する。例えば、音声信号記憶部６０２は、任意の音楽の楽曲を表した音声信号の波形情報を記憶する。音声信号記憶部６０２が記憶する音声信号の波形情報は、アナログ信号でもよいし、デジタルデータでもよい。なお、音声信号記憶部６０２は、音響コンテンツ生成装置６００の外部にあるパーソナルコンピュータやスマートフォン、タブレット端末などの情報処理機器、あるいはリムーバル記憶媒体として構成することが可能である。また、音声信号記憶部６０２は、音響コンテンツ生成装置６００に通信ネットワークを介して接続された外部機器（例えば、外部ストレージ、サーバなど）であってもよい。【０１１２】
触覚コンテンツ取得部６１は、触覚コンテンツ記憶部６０１に記憶された触覚コンテンツ、すなわち、上述したように、図５の触覚コンテンツ生成装置５００により振動情報である触質コンテンツから生成された触覚コンテンツを取得する。音声信号取得部６２は、音声信号記憶部６０２に記憶された音声信号を取得する。【０１１３】
振動波形加工部６３は、音声信号取得部６２により取得された音声信号の波形情報に基づいて、触覚コンテンツ取得部６１により取得された触覚コンテンツの波形情報を加工する。なお、触覚コンテンツ取得部６１により取得される触覚コンテンツの波形情報の全時間長と、音声信号取得部６２により取得される音声信号の波形情報の全時間長とが同じでない場合がある。この場合、振動波形加工部６３は、触覚コンテンツの波形情報を、その全時間長が音声信号の波形情報の全時間長と同じとなるように前加工をした上で、後述する本加工を行う。【０１１４】
なお、前加工は、例えば、触覚コンテンツ取得部６１により取得された触覚コンテンツの波形情報を繰り返し繋げていき、音声信号の波形情報の全時間長と同じになったところでカットする処理とすることが可能である。あるいは、前加工は、触覚コンテンツ取得部６１により取得された触覚コンテンツの波形情報のピッチを伸長する処理としてもよい。ただし、触覚コンテンツの波形情報のピッチを変えると、触覚コンテンツが有するメッセージ性が変わってしまう可能性があるので、前者の方法を用いるのが好ましい。【０１１５】
なお、触覚コンテンツ取得部６１により取得される触覚コンテンツの波形情報の全時間長と、音声信号取得部６２により取得される音声信号の波形情報の全時間長とを必ずしも合わせなくてもよい。例えば、音声信号の波形情報の全時間長のうち、特定の区間に対してのみ触覚コンテンツの波形情報を組み合わせて音響コンテンツを生成するようにしてもよい。この場合、振動波形加工部６３は、触覚コンテンツの波形情報を、音声信号の波形情報の全時間長の中の特定の区間に同期させるように前加工をした上で、後述する本加工を行う。【０１１６】
音響コンテンツ生成部６４は、音声信号取得部６２により取得された音声信号と、振動波形加工部６３により加工された触覚コンテンツとの組み合わせにより音響コンテンツを生成する。例えば、音響コンテンツ生成部６４は、音声信号取得部６２により取得された音声信号を第１チャネル情報（第１の振動付与体３００Ａに供給する音声信号）とし、振動波形加工部６３により加工された触覚コンテンツを第２チャネル情報（第２の振動付与体３００Ｂに供給する振動信号）とする音響コンテンツを生成する。【０１１７】
音響コンテンツの詳細については後述するとして、以下に、振動波形加工部６３が行う本加工の詳細を説明する。図１０は、振動波形加工部６３の機能構成例を示すブロック図であり、振動波形加工部６３が触覚コンテンツの波形情報に対して本加工を行うため機能構成例を示している。図１０に示すように、振動波形加工部６３は、その機能構成として、特徴抽出部６３Ａ、重み情報生成部６３Ｂおよび重み加工部６３Ｃを備えている。【０１１８】
特徴抽出部６３Ａは、音声信号取得部６２により取得された音声信号の波形情報において、他の箇所の区別し得る複数の特徴箇所を抽出する。例えば、特徴抽出部６３Ａは、音声信号取得部６２により取得された音声信号の波形情報において、所定時間の間に振幅値が所定値以上大きくなる箇所を特徴箇所として抽出する。【０１１９】
重み情報生成部６３Ｂは、特徴抽出部６３Ａにより抽出された複数の特徴箇所に基づいて、隣接する特徴箇所の時間区間において経時的に値が変化する重み情報を生成する。例えば、重み情報生成部６３Ｂは、特徴抽出部６３Ａにより抽出された複数の特徴箇所に基づいて、一の特徴箇所が抽出された時間から次の特徴箇所が抽出された時間まで値が経時的に徐々に小さくなる重み情報を生成する。【０１２０】
図１１は、特徴抽出部６３Ａおよび重み情報生成部６３Ｂの処理内容を説明するための図である。ここで、図１１（ａ）は、音声信号取得部６２により取得された音声信号の波形情報を示している。図１１（ｂ）は、触覚コンテンツ取得部６１により取得された触覚コンテンツの波形情報に対し、重み情報生成部６３Ｂにより生成される重み情報を模式的に重ねて示した状態を示している。ここでは、触覚コンテンツの波形情報を、その全時間長が音声信号の波形情報の全時間長と同じとなるように前加工した後の波形情報を示している。【０１２１】
特徴抽出部６３Ａは、図１１（ａ）に示す音声信号の波形情報において、所定時間（例えば、０．１秒）の間に振幅値が所定値以上大きくなる箇所を複数の特徴箇所Ｆ１，Ｆ２，Ｆ３，・・・として抽出する。すなわち、特徴抽出部６３Ａは、音声信号の波形情報の振幅値が急激に大きくなる箇所を特徴箇所Ｆ１，Ｆ２，Ｆ３，・・・として抽出する。【０１２２】
重み情報生成部６３Ｂは、特徴抽出部６３Ａにより抽出された複数の特徴箇所Ｆ１，Ｆ２，Ｆ３，・・・に基づいて、一の特徴箇所Ｆｉ（ｉ＝１，２，・・・）が抽出された時間から、次の特徴箇所Ｆｉ＋１が抽出された時間まで、値が経時的に徐々に小さくなる重み情報を生成する。この重み情報は、重み値（何れも正の値）が最小値から最大値までの間をとる情報であり、図１１（ｂ）においてノコギリ波として模式的に示されている。【０１２３】
図１１（ｂ）の例では、一の特徴箇所Ｆｉが抽出された時間において重み値が最大となり、そこから線形的あるいは段階的に値が経時的に徐々に小さくなり、次の特徴箇所Ｆｉ＋１が抽出された時間において重み値が再び最大となるような重み情報を生成している。ここで、重み情報生成部６３Ｂは、一の特徴箇所Ｆｉが抽出された時間において重み値が最大となり、次の特徴箇所Ｆｉ＋１が抽出された時間に達する時点で重み値がちょうど最小値となるような重み情報を生成している。【０１２４】
なお、ここに示した重み情報の生成処理は一例であり、これに限定されるものではない。例えば、図１１（ｂ）では、重み値が一定の割合で直線的に徐々に小さくなる例を示したが、一の特徴箇所Ｆｉが抽出された時間から次の特徴箇所Ｆｉ＋１が抽出された時間まで、所定の２次関数あるいは対数関数などに従って値が曲線的に徐々に小さくなるような重み情報を生成するようにしてもよい。【０１２５】
また、重み値が徐々に小さくなる割合（ノコギリ波で示される斜線部の傾斜角）を、どの区間も同じとするようにしてもよい。この場合、一の特徴箇所Ｆｉと次の特徴箇所Ｆｉ＋１との間が長い区間があると、次の特徴箇所Ｆｉ＋１に至る前に重み値が最小値に達する。この場合、重み情報生成部６３Ｂは、例えば、重み値が最小値に達した後、次の特徴箇所Ｆｉ＋１に至るまで、重み値が最小値に固定するような重み情報を生成する。【０１２６】
また、重み値の最大値と最小値とを固定せず、所定の条件に応じて変動する変動値とするようにしてもよい。例えば、特徴箇所における振幅値の大きさに応じて、重み値の最大値を可変とするようにしてもよい。この場合、重み情報生成部６３Ｂは、一の特徴箇所Ｆｉにおける振幅値が大きいほど重み値が大きくなるようにし、そこから次の特徴箇所Ｆｉ＋１まで値が徐々に小さくなるような重み情報を生成する。このようにすれば、所定時間の間に振幅値が所定値以上大きくなる複数の特徴箇所Ｆｉのうち、その特徴箇所Ｆｉの振幅値が大きいほど大きな重み値が設定されるようになる。【０１２７】
重み加工部６３Ｃは、触覚コンテンツ取得部６１により取得された触覚コンテンツ（振動波形加工部６３により前加工の処理が行われた触覚コンテンツを含む。以下同様）の波形情報を、重み情報生成部６３Ｂにより生成された重み情報によって加工する。例えば、重み加工部６３Ｃは、触覚コンテンツの波形情報の振幅値に対して重み情報の重み値を乗算することにより、触覚コンテンツの波形情報を加工する。【０１２８】
すなわち、重み加工部６３Ｃは、図１１（ｂ）に示している触覚コンテンツの波形情報の各時間における振幅値に対し、同じく図１１（ｂ）にノコギリ波として模式的に示している各時間における重み値を乗算する。図１１（ｂ）において、触覚コンテンツの波形情報と重み情報とを重ねて示しているのは、各時刻における波形情報の振幅値と、これに対して乗算する重み値との対応関係を明示するためである。【０１２９】
なお、音声信号の波形情報の全時間長のうち、特定区間における音声信号の波形情報に対してのみ触覚コンテンツの波形情報を組み合わせて音響コンテンツを生成する場合、特徴抽出部６３Ａ、重み情報生成部６３Ｂおよび重み加工部６３Ｃは、当該特定区間においてのみ各処理を実行すればよい。すなわち、特徴抽出部６３Ａは、特定区間においてのみ音声信号の特徴領域を抽出すればよい。また、重み情報生成部６３Ｂは、特定区間においてのみ重み情報を生成すればよい。また、重み加工部６３Ｃは、特定区間においてのみ、当該特定区間の音声信号の波形情報に同期する触覚コンテンツの波形情報の振幅値に対して重み値を乗算すればよい。【０１３０】
上述したように、音響コンテンツ生成部６４は、以上のようにして振動波形加工部６３により加工された触覚コンテンツを第２チャネル情報とし、音声信号取得部６２により取得された音声信号を第１チャネル情報とする組み合わせにより音響コンテンツを生成する。図１２は、音響コンテンツ生成部６４により生成される音響コンテンツを示す図である。図１２（ａ）は、音声信号取得部６２により取得された音声信号の波形情報（第１チャネル情報）を示し、図１２（ｂ）は、動波形加工部２３により加工された触覚コンテンツの波形情報（第２チャネル情報）を示している。図１２（ａ）に示す音声信号の波形情報は、図１１（ａ）に示す音声信号の波形情報と同じである。【０１３１】
なお、音声信号取得部６２により取得される音声信号がモノラルの音声信号である場合は、上述したように、図１１（ａ）に示す音声信号の波形情報（音響コンテンツの波形情報を加工する重み情報を生成するために特徴箇所の抽出対象とする音声信号の波形情報）と、図１２（ａ）に示す音声信号の波形情報（音響コンテンツの第１チャネル情報を構成する音声信号の波形情報）とは同じになる。【０１３２】
一方、音声信号取得部６２により取得される音声信号がステレオの音声信号である場合は、図１１（ａ）に示す音声信号の波形情報と、図１２（ａ）に示す音声信号の波形情報とを同じとしてもよいが、必ずしも同じとする必要はない。例えば、特徴箇所の抽出対象とする音声信号は左チャネルの音声信号とし、音響コンテンツの第１チャネル情報を構成する音声信号は右チャネルの音声信号としてもよい。もちろん、その逆でもよい。【０１３３】
前者の場合、特徴抽出部６３Ａが左チャネルの音声信号の波形情報から複数の特徴箇所を抽出し、重み情報生成部６３Ｂがその特徴箇所に基づいて重み情報を生成し、重み加工部６３Ｃがその重み情報によって触覚コンテンツの波形情報を加工することにより、触覚コンテンツの波形情報（第２チャネル情報）を生成する。そして、音響コンテンツ生成部６４は、以上のようにして振動波形加工部６３により加工された触覚コンテンツと、音声信号取得部６２により取得された右チャネルの音声信号との組み合わせにより音響コンテンツを生成する。【０１３４】
以上のようにして生成される音響コンテンツは、２つ以上の異なる触質コンテンツ（振動情報）の組み合わせから成るパターンの繰り返しによって構成される触覚コンテンツと、任意の音声信号との組み合わせから構成されるものである。しかも、音声信号に組み合わされる触覚コンテンツは、当該音声信号の特徴箇所と同期する態様で重み値が変動する重み情報によって波形の振幅値が加工された触覚コンテンツである。このため、この音響コンテンツをマスク型振動マッサージ装置１００’を通じて人に伝達することにより、音声信号に基づき再生される音声を提供するのと同時に、その音声の特徴と同期した触覚コンテンツの振動によって触覚のメッセージ性（物語性）を明確に伝えることができる。【０１３５】
なお、上記実施形態では、音声信号取得部６２が取得する音声信号は任意であるが、例えば以下のようにすることが可能である。すなわち、図５に示す触覚コンテンツ生成装置５００によって触覚コンテンツを生成する際に、対象情報入力部５３が入力する時系列の波形情報として、音声信号取得部６２により取得される音声信号の波形情報と同じ波形情報を、触質変換対象の情報として入力する。換言すると、対象情報入力部５３が、音声信号取得部６２により取得される音声信号の波形情報と同じ波形情報を触質変換対象の情報として入力し、これによって触覚コンテンツ生成装置５００により生成された触覚コンテンツを触覚コンテンツ取得部６１が取得するようにする。【０１３６】
このようにすれば、音声信号に組み合わされる触覚コンテンツが、当該音声信号自身の特徴要素である触質パラメータ（分割区間の振幅および分割区間の時間の長さ）に基づき生成され、かつ、当該音声信号自身から抽出される特徴箇所に基づき生成される重み情報によって波形の振幅値が加工されたものとなる。このため、音声信号自体がもともと有している音声によるメッセージ性と、当該音声信号が持つ特徴に基づき生成される触覚コンテンツの振動によるメッセージ性とが相まって人に伝わるようになる。これにより、相乗効果によってメッセージ性が人に強く伝わるようにすることができる。【０１３７】
なお、特徴抽出部６３Ａが音声信号の波形情報から抽出する複数の特徴箇所は、上記実施形態に示した例に限定されない。例えば、特徴抽出部６３Ａは、音声信号取得部６２により取得された音声信号の波形情報において、振幅値が所定値以上となる箇所を特徴箇所として抽出するようにしてもよい。あるいは、音声信号の波形情報を時間ごとに周波数解析し、含まれる周波数成分が急激に変わる箇所を特徴箇所として抽出するようにしてもよい。あるいは、音声信号の波形情報に対して図７と同様の解析を行い、ｈ／ｔの値が急激に変わる箇所を特徴箇所として抽出するようにしてもよい。【０１３８】
また、上記実施形態では、重み情報生成部６３Ｂは、一の特徴箇所Ｆｉが抽出された時間から次の特徴箇所Ｆｉ＋１が抽出された時間まで値が徐々に小さくなるような重み情報を生成したが、本発明はこれに限定されない。例えば、特徴抽出部６３Ａが、音声信号の波形情報において所定時間の間に振幅値が急激に小さくなる箇所を特徴箇所として抽出するようにし、重み情報生成部６３Ｂが、一の特徴箇所Ｆｉが抽出された時間から次の特徴箇所Ｆｉ＋１が抽出された時間まで値が徐々に大きくなるような重み情報を生成するようにしてもよい。【０１３９】
次に、音響再生装置について説明する。第２の実施形態によるマスク型振動マッサージ装置１００’は、図３に示した構成に加えて、音響再生装置を更に備える。すなわち、図３に示す振動付与体３００Ａ，３００Ｂからケーブルを介して繋がれたイヤホンプラグ１７が、図３では図示しない音響再生装置のイヤホンジャックに装着された状態で、第２の実施形態によるマスク型振動マッサージ装置１００’が構成される。【０１４０】
図１３は、本実施形態による音響再生装置７００の機能構成例を示す機能ブロック図である。図１３に示すように、本実施形態の音響再生装置７００は、その機能構成として、音響コンテンツ取得部７１、音声出力制御部７２および振動出力制御部７３を備えている。また、本実施形態の音響再生装置７００には、音響コンテンツ記憶部７０１、第１の振動付与体３００Ａおよび第２の振動付与体３００Ｂが接続されている。【０１４１】
上記各機能ブロック７１〜７３は、ハードウェア、ＤＳＰ、ソフトウェアの何れによっても構成することが可能である。例えばソフトウェアによって構成する場合、上記各機能ブロック７１〜７３は、実際にはコンピュータのＣＰＵ、ＲＡＭ、ＲＯＭなどを備えて構成され、ＲＡＭやＲＯＭ、ハードディスクまたは半導体メモリ等の記録媒体に記憶されたプログラムが動作することによって実現される。【０１４２】
音響コンテンツ記憶部７０１は、図９のように構成した音響コンテンツ生成装置６００により生成された音響コンテンツを記憶する。音響コンテンツ記憶部７０１が記憶する音響コンテンツは、図９の音声信号取得部６２により取得された音声信号を第１チャネル情報とし、振動波形加工部６３により加工された触覚コンテンツを第２チャネル情報とする、２種類の波形情報の組み合わせである。上述した通り、第２チャネル情報の触覚コンテンツは、音声信号の波形情報において他の箇所と区別し得る複数の特徴箇所を区切りとして、隣接する特徴箇所の時間区間において経時的に値が変化する重み情報によって、パターンの繰り返しを構成している触質コンテンツ群の波形情報が加工されたものである。【０１４３】
なお、音響コンテンツ記憶部７０１は、図９に示した音響コンテンツ生成装置６００が内部に備える記憶媒体であってもよいし、音響コンテンツ生成装置６００の外部にあるパーソナルコンピュータやスマートフォン、タブレット端末などの情報処理機器、あるいはリムーバル記憶媒体であってもよい。また、音響コンテンツ記憶部７０１は、音響再生装置７００に通信ネットワークを介して接続された外部機器（例えば、外部ストレージ、サーバなど）であってもよい。また、音響再生装置７００が音響コンテンツ記憶部７０１を内蔵する構成としてもよい。【０１４４】
音響コンテンツ取得部７１は、音響コンテンツ記憶部７０１から音響コンテンツを取得する。音声出力制御部７２は、音響コンテンツ取得部７１により取得された音響コンテンツに第１チャネル情報として含まれる音声信号に基づいて音声を第１の振動付与体３００Ａから出力するように、音声信号の再生を制御する。振動出力制御部７３は、音響コンテンツ取得部７１により取得された音響コンテンツに第２チャネル情報として含まれる触覚コンテンツに基づいて第２の振動付与体３００Ｂに振動を与えるように、触覚コンテンツの再生を制御する。【０１４５】
以上のように構成した音響再生装置７００によれば、第１の振動付与体３００Ａから出力される音声自体がもともと有しているメッセージ性と、第２の振動付与体３００Ｂに付与される触覚コンテンツの振動によるメッセージ性とが相まって人に伝わるようになる。これにより、第１の振動付与体３００Ａから出力する音声によってユーザに所定の意味やメッセージを与えつつ、その意味やメッセージに同調するような振動を第２の振動付与体３００Ｂに付与することによって、当該意味やメッセージがユーザに強く伝わるような感覚をユーザに与えることができる。【０１４６】
特に、本実施形態では、マスク型振動マッサージ装置１００’のマスクを、２つの振動付与体３００Ａ，３００Ｂに対応する振動板として兼用するようにしている。すなわち、第２の振動付与体３００Ｂから出力される触覚コンテンツによって振動させるマスクを、第１の振動付与体３００Ａによって音声を出力するスピーカの振動板として機能させるようにしている。【０１４７】
このようにすると、音声信号の波形情報に応じた振動をマスクに与え、マスク全体を振動させることにより、マスクをスピーカのコーン代わりとして放音することができる。これにより、マスクを装着しているユーザは、マスク全体から音声が聞こえてくるような体感を得ることができる。これと同時に、触覚コンテンツの波形情報に応じた振動もマスクに与えられるので、所定の感覚をユーザにイメージさせることができる。このようにすれば、第２の振動付与体３００Ｂによりマスクに付与される触覚コンテンツの振動によってユーザに所定の感覚を与えつつ、第１の振動付与体３００Ａにより出力される音声信号の振動によってマスク全体から音声が聞こえてくるような体感をユーザに与えることができる。【０１４８】
なお、上記実施形態では、図５の対象情報入力部５３により入力された対象情報を解析することにより、当該対象情報から特定された第１の触質パラメータおよび第２の触質パラメータを触質コンテンツ抽出部５１が入力することによって、第１の触質パラメータおよび第２の触質パラメータの組み合わせを順次指定する例について説明したが、本発明はこれに限定されない。【０１４９】
例えば、所望の触覚コンテンツを生成したいユーザが、第１の触質パラメータおよび第２の触質パラメータの指定を手動で行うようにしてもよい。この場合、図５に示した対象情報入力部５３および触質パラメータ特定部５４は不要である。一例として、触質コンテンツ抽出部５１は、図６に例示したマトリクスをコンピュータの画面上に表示させ、タッチパネルやマウス等の操作デバイスを用いてユーザに所望の位置を順に指定させることにより、第１の触質パラメータおよび第２の触質パラメータの組み合わせを複数組順に指定する。これに応じて、触質コンテンツ抽出部５１は、マトリクス上で順に指定された位置に対応する触質コンテンツを順次触質コンテンツ記憶部５０から抽出する。【０１５０】
また、触質コンテンツ抽出部５１がランダムに、あるいは所定の規則に従って第１の触質パラメータおよび第２の触質パラメータの組み合わせを順次指定するようにしてもよい。【０１５１】
また、上記第２の実施形態では、音声信号を第１チャネル情報とし、触覚コンテンツを第２チャネル情報とする音響コンテンツを生成する例について説明したが、本発明はこれに限定されない。例えば、上記２つのチャネル情報に加えて、３つ目あるいはそれ以上の数のチャネル情報を含めて音響コンテンツを生成するようにしてもよい。【０１５２】
その一例として、左チャネルの音声信号を第１チャネル情報、触覚コンテンツを第２チャネル情報、右チャネルの音声信号を第３チャネル情報とする音響コンテンツを生成するようにしてもよい。第３チャネル情報を追加する場合、マスク型振動マッサージ装置１００’に対して３つ目の振動付与体を追加するようにしてよい。ただし、マスク型振動マッサージ装置１００’が備える振動付与体の数が多くなるので、第３チャネル情報の音声信号については、マスク型振動マッサージ装置１００’とは別に設けたスピーカから出力するようにしてもよい。【０１５３】
また、上記第２の実施形態において、第１の振動呈示部１３Ａに対して、触覚に関する所定の感覚をユーザにイメージさせるように生成された第１の振動信号である第１の触覚コンテンツを供給する一方、第２の振動呈示部１３Ｂに対して、触覚に関する所定の感覚をユーザにイメージさせるように生成された第２の振動信号である第２の触覚コンテンツを供給するようにしてもよい。ここで、第１の触覚コンテンツと第２の触覚コンテンツは、同じものであってもよいし、異なるものであってもよい。【０１５４】
なお、上記第２の実施形態では、立体構造の最も膨らんだ部分に開口部１１’を設ける構成を示したが、第１の実施形態と同様に、鼻の位置に単に開口を有する構成としてもよい。【０１５５】
また、上記第２の実施形態では、鼻の部分に開口部１１’を設けるとともに、目の部分に開口部１４を設ける構成について説明したが、本発明はこれに限定されない。例えば、口の部分にも開口部を更に設けるようにしてもよい。また、第１の実施形態と同様に、鼻の部分にのみ開口部を設けるようにしてもよい。【０１５６】
また、上記第１および第２の実施形態では、振動呈示部１３，１３Ａ，１３Ｂを、マスク上で顔面とは反対側に向かって膨らんだ部位とする例について説明したが、本発明はこれに限定されない。すなわち、振動呈示部１３，１３Ａ，１３Ｂは、周囲の面から膨らませる構成としなくても、フェイシャルシート２００の一部が振動呈示部１３，１３Ａ，１３Ｂに接触しないように形成されていればよい。【０１５７】
例えば、振動呈示部１３，１３Ａ，１３Ｂの周囲の面がフェイシャルシート２００から十分に離間するような形状に構成されていて、膨らみ部１２，１２’がフェイシャルシート２００に接触するように十分に膨らんでいれば、振動呈示部１３，１３Ａ，１３Ｂは、周囲の面から膨らむことなく連続した部位であってもよい。また、マスク上で顔面に向かって、フェイシャルシート２００に接触しない程度に膨らんだ部位または窪んだ部位としてもよい。【０１５８】
また、上記第１および第２の実施形態では、ユーザの顔全体を覆うマスク型振動マッサージ装置１００，１００’と、ユーザの顔全体を覆うフェイシャルシート２００とを用いて、顔全体に振動を与える構成について説明したが、本発明はこれに限定されない。すなわち、顔の一部に振動を与える構成としてもよい。例えば、ユーザの顔の上半分または下半分に振動を与える構成とすることが可能である。【０１５９】
顔の上半分に振動を与える構成とする場合は、例えば、図１４（ａ）に示すように、図３の膨らみ部１２’を含めてこれより上側の構成のみでマスク型振動マッサージ装置１００”を構成するとともに、上側半分のみでフェイシャルシート２００”を構成する。また、顔の下半分に振動を与える構成とする場合は、例えば、図１４（ｂ）に示すように、図３の膨らみ部１２’を含めてこれより下側の構成のみでマスク型振動マッサージ装置１００”を構成するとともに、下側半分のみでフェイシャルシート２００”を構成する。【０１６０】
あるいは、図１４（ａ）または図１４（ｂ）のように、上半分または下半分でマスク型振動マッサージ装置１００”を構成する一方、フェイシャルシート２００を図１のように顔全体を覆う構成とすることにより、半分のみで簡易的に構成したマスク型振動マッサージ装置１００”を用いて、フェイシャルシート２００を介して顔全体に振動を与えるようにしてもよい。【０１６１】
その他、上記第１および第２の実施形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【０１６２】
１１，１１’  鼻の部分の開口部
１２，１２’  膨らみ部
１３，１３Ａ，１３Ｂ  振動呈示部
１４  目の部分の開口部
１５  耳の部分の広がり部
５０  触質コンテンツ記憶部
５１  触質コンテンツ抽出部
５２  触覚コンテンツ生成部
５３  対象情報入力部
５４  触質パラメータ特定部
６１  触覚コンテンツ取得部
６２  音声信号取得部
６３  振動波形加工部
６３Ａ  特徴抽出部
６３Ｂ  重み情報生成部
６３Ｃ  重み加工部
６４  音響コンテンツ生成部
７１  音響コンテンツ取得部
７２  音声出力制御部
７３  振動出力制御部
１００，１００’，１００”  マスク型振動マッサージ装置
２００，２００”  フェイシャルシート
３００，３００Ａ，３００Ｂ  振動付与体
５００  触覚コンテンツ生成装置
６００  音響コンテンツ生成装置
７００  音響再生装置
【図１】
2018139150.tif 000003
【図２】
2018139150.tif 000004
【図３】
2018139150.tif 000005
【図４】
2018139150.tif 000006
【図５】
2018139150.tif 000007
【図６】
2018139150.tif 000008
【図７】
2018139150.tif 000009
【図８】
2018139150.tif 000010
【図９】
2018139150.tif 000011
【図１０】
2018139150.tif 000012
【図１１】
2018139150.tif 000013
【図１２】
2018139150.tif 000014
【図１３】
2018139150.tif 000015
【図１４】
2018139150.tif 000016
【手続補正書】
【提出日】平成30年3月23日(2018.3.23)
【手続補正１】
【補正対象書類名】特許請求の範囲
【補正対象項目名】全文
【補正方法】変更
【補正の内容】
【特許請求の範囲】
【請求項１】
顔に被せたフェイシャルシートを振動させて、当該フェイシャルシートを介して顔に振動を与えるためのマスク型振動マッサージ装置であって、
マスク上で振動付与体が設置される部位であって、顔に被せた上記フェイシャルシートに接触しないように形成された振動呈示部と、
上記マスク上で上記振動呈示部とは異なる部位において顔面に向かって膨らんでいる膨らみ部とを備えたことを特徴とするマスク型振動マッサージ装置。
【請求項２】
上記振動呈示部は、上記マスク上で顔面とは反対側に向かって膨らんだ部位であることを特徴とする請求項１に記載のマスク型振動マッサージ装置。
【請求項３】
上記膨らみ部は、上記マスク上の鼻の部分の側方に設けられることを特徴とする請求項１または２に記載のマスク型振動マッサージ装置。
【請求項４】
上記振動呈示部は、上記マスク上の幅方向に中央部に設けられることを特徴とする請求項１〜３の何れか１項に記載のマスク型振動マッサージ装置。
【請求項５】
上記振動呈示部は、上記マスク上の顎の部分および額の部分の少なくとも一方に設けられることを特徴とする請求項４に記載のマスク型振動マッサージ装置。
【請求項６】
上記マスク上の上記鼻の部分に開口部を有することを特徴とする請求項１〜５の何れか１項に記載のマスク型振動マッサージ装置。
【請求項７】
上記振動呈示部は、上記マスク上の上記鼻の部分に設けられることを特徴とする請求項４に記載のマスク型振動マッサージ装置。
【請求項８】
上記膨らみ部は、上記マスク上の顎の部分に設けられることを特徴とする請求項１または２に記載のマスク型振動マッサージ装置。
【請求項９】
上記振動呈示部は、上記マスク上の額の部分または鼻の部分に設けられることを特徴とする請求項８に記載のマスク型振動マッサージ装置。
【請求項１０】
上記マスクは、顔の全体を覆う形状に構成されていることを特徴とする請求項１または２に記載のマスク型振動マッサージ装置。
【請求項１１】
上記マスクは、顔の一部を覆う形状に構成されていることを特徴とする請求項１または２に記載のマスク型振動マッサージ装置。
【請求項１２】
上記振動付与体は、上記マスクを振動板として用いて、当該マスクに振動を付与することを特徴とする請求項１〜１１の何れか１項に記載のマスク型振動マッサージ装置。
【請求項１３】
上記振動呈示部および上記振動付与体を２組備え、第１の振動付与体に対して音声信号を供給する一方、第２の振動付与体に対して、触覚に関する所定の感覚をユーザにイメージさせるように生成された振動信号である触覚コンテンツを供給することを特徴とする請求項１２に記載のマスク型振動マッサージ装置。
【請求項１４】
上記触覚コンテンツは、それぞれが触感の一要素を表したｎ個（ｎ≧２）の触質パラメータにより特定される固有の触覚効果を持った振動信号である触質コンテンツの２つ以上の組み合わせであって、パターンの繰り返しを構成している触質コンテンツの組み合わせであることを特徴とする請求項１３に記載のマスク型振動マッサージ装置。
【請求項１５】
上記触覚コンテンツは、上記第２の振動付与体に供給する音声信号と同じ音声信号から特定された上記ｎ個の触質パラメータにより特定される触質コンテンツの２つ以上の組み合わせであって、パターンの繰り返しを構成している触質コンテンツの組み合わせであることを特徴とする請求項１４に記載のマスク型振動マッサージ装置。
【請求項１６】
上記触覚コンテンツは、上記音声信号の波形情報において他の箇所と区別し得る複数の特徴箇所を区切りとして、隣接する特徴箇所の時間区間において経時的に値が変化する重み情報によって、上記パターンの繰り返しを構成している触質コンテンツ群の波形情報が加工されたものであることを特徴とする請求項１５に記載のマスク型振動マッサージ装置。
【請求項１７】
上記第１の振動付与体に対して上記音声信号を供給するとともに、上記第２の振動付与体に対して上記振動信号を供給する音響再生装置を更に備え、当該音響再生装置は、
上記音声信号を第１チャネル情報とし、上記触覚コンテンツを第２チャネル情報として含む音響コンテンツを取得する音響コンテンツ取得部と、
上記音響コンテンツ取得部により取得された上記音響コンテンツに上記第１チャネル情報として含まれる音声信号に基づいて音声を上記第１の振動付与体から出力するように、上記音声信号の再生を制御する音声出力制御部と、
上記音響コンテンツ取得部により取得された上記音響コンテンツに上記第２チャネル情報として含まれる上記触覚コンテンツに基づいて上記第２の振動付与体に振動を与えるように、上記触覚コンテンツの再生を制御する振動出力制御部とを備えたことを特徴とする請求項１３〜１６の何れか１項に記載のマスク型振動マッサージ装置。
【請求項１８】
上記振動呈示部および上記振動付与体を２組備え、第１の振動付与体に対して、触覚に関する所定の感覚をユーザにイメージさせるように生成された第１の振動信号である第１の触覚コンテンツを供給する一方、第２の振動付与体に対して、触覚に関する所定の感覚をユーザにイメージさせるように生成された第２の振動信号である第２の触覚コンテンツを供給することを特徴とする請求項１２に記載のマスク型振動マッサージ装置。
【国際調査報告】
2018139150.tif 000017
2018139150.tif 000018
2018139150.tif 000019
2018139150.tif 000020